(57)【要約】【課題】より低消費電力で高い防犯機能を実現するセキュリティ装置を提供する。【解決手段】上記課題を解決するために、セキュリティ装置１００に、不審者を検出するためのセンサ１０１と、光透過率を変更可能な調光ガラス１０２と、調光ガラス１０２の光透過率を制御する調光ガラス制御部１０３と、調光ガラス制御部１０３に対して光透過率の変更を指示する周辺検知装置１０４と、を備える。【選択図】図１
2009143296.tif 000002
【特許請求の範囲】
【請求項１】
自動車に搭載されるセキュリティ装置において、
前記自動車の窓から該自動車内への入射光の透過率を変更して前記自動車内を不可視化する不可視化手段と、
前記自動車から一定範囲に侵入する物体を検出した場合に、前記不可視化手段の透過率を低下させる透過率制御手段と、
前記自動車の所定位置に１または２以上設置され、前記一定範囲に進入する物体を検出する物体検出手段と、
該物体検出手段が物体を検出すると、前記不可視化制御手段に対して物体を検出したことを通知する物体検出通知手段と、
を備えるセキュリティ装置。
【請求項２】
前記不可視化手段は、前記自動車の窓ガラスであって、該窓ガラスに対して印加する電圧に応じて透過率を変更可能な透過率変更ガラス、であることを特徴とする請求項１に記載のセキュリティ装置。
【請求項３】
前記透過率制御手段は、前記透過率変更ガラスに対して電圧を印加することにより該透過率変更ガラスの透過率を所定の透過率に制御する、ことを特徴とする請求項２に記載のセキュリティ装置。
【請求項４】
前記不可視化手段は、印加電圧に応じて透過率を変更可能な調光ガラス、であることを特徴とする請求項１に記載のセキュリティ装置。
【請求項５】
自動車に搭載されるセキュリティ装置において、
前記自動車の窓から該自動車内への入射光の透過率を変更して前記自動車内を不可視化する不可視化手段と、
前記自動車から一定範囲に侵入する物体を検出した場合に、前記不可視化手段の透過率を低下させる透過率制御手段と、
前記自動車と離れた位置に設置され、該設置位置から一定範囲に進入する物体を検出する物体検出手段と、
該物体検出手段が物体を検出すると、前記不可視化制御手段に対して物体を検出したことを通知する物体検出通知手段と、
を備えるセキュリティ装置。
【発明の詳細な説明】
【技術分野】
【０００１】
本発明は、車両の盗難防止などに使用するセキュリティ装置に関する。
【背景技術】
【０００２】
車上荒らしなどの盗難を防止するために様々な方法が考案されている。その一つとして、不審者を検出すると音や光（例えば、アラーム、クラクション、ライトの点滅）などを利用した威嚇行為を行なって犯罪を抑止する方法が広く普及している。
【０００３】
この方法は高い防犯効果を得られるが、不審者を検出する範囲（以下、「検知エリア」という）を広くすると、無関係な人が通り過ぎただけで威嚇行為を開始してしまう誤作動が生じて周辺に迷惑がかかってしまうため、多くの場合、誤作動が起こらないように検出範囲の調整が行なわれる。
【０００４】
そのため、車両の駐車位置などのより検知エリアが非常に狭くなってしまい、防犯効果が低減してしまうという問題があった。
そこで、音や光などによる威嚇行為以外の方法によって盗難を防止する方法が考え出されている。
【０００５】
例えば、特許文献１には、電圧の印加によって光透過率が変化する調光ガラスで構成される窓ガラスに電圧を印加して、光透過率を低くすることにより車室内の覗き込みを防止して盗難にあいにくくする車両盗難防止システムが開示されている。
【０００６】
また、この技術に関連して、特許文献２には、画像表示機能を有した調光ガラスを用いた自動車用ウインドウシステムについて開示されている。
しかし、上述のシステムでは、調光ガラス等に常に電圧を印加して動作させなければならない。そのため、専用のバッテリ等を用意しなければバッテリ上がりが起きる可能性がある。例えば、長い間駐車場に駐車しなければならない場合、長期間安定的に防犯機能を提供することができなくなってしまうという問題が生じる。
【特許文献１】特開２００３−１３６９５７号公報
【特許文献２】特開２００４−１３８７９５号公報
【発明の開示】
【発明が解決しようとする課題】
【０００７】
本発明は、上述した問題に鑑みてなされたものであり、より低消費電力で高い防犯機能を実現するセキュリティ装置を提供することである。
【課題を解決するための手段】
【０００８】
上記課題を解決するために、本セキュリティ装置は、自動車に搭載されるセキュリティ装置において、前記自動車の窓から該自動車内への入射光の透過率を変更して前記自動車内を不可視化する不可視化手段と、前記自動車から一定範囲に侵入する物体を検出した場合に、前記不可視化手段の透過率を低下させる透過率制御手段と、前記自動車の所定位置に１または２以上設置され、前記一定範囲に進入する物体を検出する物体検出手段と、該物体検出手段が物体を検出すると、前記不可視化制御手段に対して物体を検出したことを通知する物体検出通知手段と、を備える。
【０００９】
本セキュリティ装置によると、調光ガラス制御部は、自動車から一定範囲に物体が侵入した場合にのみ不可視化手段を操作して透過率を低下させる。すなわち、自動車から一定範囲に物体が侵入しない場合には不可視化手段を操作することがないので、不可視化手段を操作するために使用する電力の消費を抑えることが可能となる。
【発明の効果】
【００１０】
以上のように、本発明によると、より低消費電力で高い防犯機能を実現するセキュリティ装置を提供することが可能となる。
【発明を実施するための最良の形態】
【００１１】
以下、本発明の実施形態について、図１〜図６に基づいて説明する。
（第１の実施例）
図１は、本実施例に係るセキュリティ装置１００の概要を説明する図である。
【００１２】
図１に示すセキュリティ装置１００は、不審者を検出するためのセンサ１０１と、光透過率を変更可能な調光ガラス１０２と、調光ガラス１０２の光透過率を制御する調光ガラス制御部１０３と、調光ガラス制御部１０３に対して光透過率の変更を指示する周辺検知装置１０４と、を備える。
【００１３】
なお、図面の理解の容易さのために図示していないが、センサ１０１は全て周辺検知装置１０４と接続されている。また、周辺検知装置１０４は調光ガラス制御部１０３と接続されている。また、調光ガラス１０２は全て調光ガラス制御部１０３と接続されている。
【００１４】
センサ１０１には、例えば、赤外線センサや超音波センサなど、物体（人物）の有無を検出することが可能なセンサを使用する。そして、複数のセンサ１０１を、車体１１０の任意の位置（例えば、図１に示す車体１１０の前後）に設置することにより、警戒エリア１１１に侵入した物体（人物）を検出する。
【００１５】
調光ガラス１０２は、電圧の印加によって光透過率を変更することが可能なガラスである。図１では、車体１１０のフロントガラス、リアガラス、サイドガラスが全て調光ガラス１０２で構成されている場合を示している。
【００１６】
なお、本実施例では、車室内への遮光に調光ガラス１０２を使用しているが、例えば、有機ＥＬなど、光透過率が変更可能なものであれば全て本発明に適用可能である。
調光ガラス制御部１０３は、周辺検知装置１０４から指示を受けると、まず、調光ガラス制御部１０３自身の電源をＯＮ状態にして動作可能にする。そして、当該指示に応じた光透過率となるように、各調光ガラス１０２に対して電圧を印加する。
【００１７】
周辺検知装置１０４は、車体１１０に装着されたセンサ１０１の信号から、警戒エリア１１１への人の侵入の有無を判断する。そして、人が警戒エリア１１１に侵入したと判断した場合、周辺検知装置１０４は、調光ガラス制御部１０３に対して、調光ガラス１０２が所定の光透過率となるように指示する。
【００１８】
以上の構成において、図１では、フロントガラス、リアガラス、サイドガラスが全て調光ガラス１０２で構成されている場合を示したが、フロントガラス、リアガラス、サイドガラスに対して着脱可能に調光ガラス１０２を設置するようにしてもよい。
【００１９】
図２は、本実施例に係るセキュリティ装置１００の具体的な動作を説明する図である。
図１に示したように、セキュリティ装置１００は、センサ１０１と調光ガラス１０２と調光ガラス制御部１０３と周辺検知装置１０４とを備える。
【００２０】
ここで、調光ガラス制御部１０３は、調光ガラス制御部１０３自身の電源制御を行なう制御部１０３ａと、調光ガラス１０２を所定の光透過率にする駆動部１０３ｂと、を備える。
【００２１】
また、本実施例に係るセキュリティ装置１００の電力源には、セキュリティ装置１００を装着する車体１１０に備えられているバッテリ２０１を使用する。図２に示すように、バッテリ２０１は、調光ガラス制御部１０３と周辺検知装置１０４とに接続され、それぞれに電力を供給する。
【００２２】
センサ１０１は、例えば、物体（人物）を検出した場合には周辺検知装置１０４にＨｉｇｈ信号を出力し、物体（人物）を検出しない場合には周辺検知装置１０４にＬｏｗ信号を出力する。
【００２３】
周辺検知装置１０４は、センサ１０１から信号を監視し、Ｈｉｇｈ信号を検出すると、警戒エリア１１１に不審者が侵入したと判断し、調光ガラス制御部１０３に対して調光ガラス１０２の光透過率低下を指示する。
【００２４】
また、周辺検知装置１０４は、センサ１０１からの信号がＨｉｇｈ信号からＬｏｗ信号に変わると、警戒エリア１１１には不審者がいないと判断し、調光ガラス制御部１０３に対して調光ガラス１０２の光透過率低下の解除を指示する。
【００２５】
制御部１０３ａは、周辺検知装置１０４から光透過率の低下指示を受けると、まず、バッテリ２０１から得る電源を駆動部１０３ｂに投入して、駆動部１０３ｂを動作可能にする。そして、駆動部１０３ｂに周辺検知装置１０４からの指示を通知する。
【００２６】
また、制御部１０３ａは、周辺検知装置１０４から光透過率低下の解除指示を受けると、バッテリ２０１から調光ガラス制御部１０３に投入している電力を停止する。
駆動部１０３ｂは、周辺検知装置１０４からの光透過率低下の指示を受けると、調光ガラス１０２に所定の電圧を印加して光透過率を変更する。なお、この時の印加電圧（光透過率）は、あらかじめ決められた固定値でもよいし、スイッチ等を備えて可変にしてもよい。
【００２７】
ここで、上述の構成において、例えば、不可視化手段は調光ガラス１０２によって実現できる。また、透過率制御手段は調光ガラス制御部１０３によって実現できる。また、物体検出手段はセンサ１０１によって実現できる。また、物体検出通知手段は、周辺検知装置１０４によって実現できる。
【００２８】
図３は、本実施例に係る光透過率の制御処理を示すフローチャートである。
セキュリティ装置１００に電源が投入されると、セキュリティ装置１００の防犯機能が動作する。そして、周辺検知装置１０４は、常時、センサ１０１からの信号を監視する。
【００２９】
ステップＳ３０１において、周辺検知装置１０４は、警戒エリア１１１において異常を検出した周辺異常検知状態か否かを判断する。例えば、上述のように、警戒エリア１１１に物体（人物）を検出するとＨｉｇｈ信号を出力するセンサ１０１を使用する場合、周辺検知装置１０４は、センサ１０１からの信号がＬｏｗ信号からＨｉｇｈ信号に変化した場合に周辺異常検知状態と判断する。
【００３０】
ステップＳ３０１において、周辺異常検知状態を検出しない場合、周辺検知装置１０４は、処理をステップＳ３０１に移行して、周辺異常検知状態を検出するまで、センサ１０１からの信号を監視する。
【００３１】
ステップＳ３０１において、周辺異常検知状態を検出すると、周辺検知装置１０４は、処理をステップＳ３０２に移行する。そして、調光ガラス制御部１０３に対して調光ガラス１０２の光透過率の低下を指示する。
【００３２】
ステップＳ３０２において、周辺検知装置１０４から光透過率の低下の指示を受けると、調光ガラス制御部１０３の制御部１０３ａは、調光ガラス制御部１０３自身の電源を投入する。そして、駆動部１０３ｂが駆動可能となると、駆動部１０３ｂは調光ガラス１０２に対して所定の電圧を印加して光透過率を低下させる。
【００３３】
ステップＳ３０３において、周辺検知装置１０４は、警戒エリア１１１における周辺異常検知状態が解除されたか否かを判断する。例えば、上述のように、警戒エリア１１１に物体（人物）を検出するとＨｉｇｈ信号を出力するセンサ１０１を使用する場合、周辺検知装置１０４は、センサ１０１からの信号がＨｉｇｈ信号からＬｏｗ信号に変化した場合に周辺異常検知状態が解除された判断する。
【００３４】
ステップＳ３０３において、周辺異常検知状態が解除されていない場合、周辺検知装置１０４は、処理をステップＳ３０３に移行して、周辺異常検知状態の解除を検出するまで、センサ１０１からの信号を監視する。
【００３５】
ステップＳ３０３において、周辺異常検知状態の解除を検出すると、周辺検知装置１０４は、処理をステップＳ３０４に移行する。そして、調光ガラス制御部１０３に対して調光ガラス１０２の光透過率低下の解除を指示する。
【００３６】
ステップＳ３０４において、周辺検知装置１０４から光透過率低下の解除指示を受けると、調光ガラス制御部１０３の制御部１０３ａは、調光ガラス制御部１０３自身の電源を切る。その結果、駆動部１０３ｂから調光ガラス１０２への電圧の印加が停止し、光透過率の低下が解除される。
（第２の実施例）
図４は、本実施例に係るセキュリティ装置４００の概要を説明する図である。
【００３７】
図４に示すセキュリティ装置４００は、不審者を検出するためのセンサ４０１と、光透過率を変更可能な調光ガラス１０２と、調光ガラス１０２の光透過率を制御する調光ガラス制御部１０３と、調光ガラス制御部１０３に対して光透過率の変更を指示する周辺検知装置４０２と、不審者の検出を周辺検知装置４０２に通知する外部検知装置４０３と、を備える。
【００３８】
なお、調光ガラス１０２、調光ガラス制御部１０３は、図１と同様なので、詳細な説明は省略する。
また、図１と同様に、図面の理解の容易さのために図示していないが、センサ４０１は全て外部検知装置４０３と接続されている。また、周辺検知装置４０２と外部検知装置４０３は無線による通信機能を備え、相互に通信可能である。また、周辺検知装置４０２は調光ガラス制御部１０３と接続されている。また、調光ガラス１０２は全て調光ガラス制御部１０３と接続されている。
【００３９】
センサ４０１は、外部検知装置４０３に接続するセンサである。センサ１０１と同様に、赤外線センサや超音波センサなどのセンサを使用すればよい。
周辺検知装置４０２は、外部検知装置４０３と無線通信を行なう。そして、外部検知装置４０２が送信するセンサ４０１の信号から、警戒エリア４１０への人の侵入の有無を判断する。不審者が警戒エリア４１０に侵入したと判断した場合、周辺検知装置４０２は、調光ガラス制御部１０３に対して、調光ガラス１０２が所定の光透過率となるように指示する。
【００４０】
外部検知装置４０３は、センサ４０１からの信号を取得して、取得した信号情報を周辺検知装置４０２に送信する。なお、本実施例に係る周辺検知装置４０２−外部検知装置４０３間の通信は無線によるが、有線による通信であってもよい。
【００４１】
外部検知装置４０３およびセンサ４０１を車体１１０と離れた場所に設置することにより、図４に示すように、警戒エリア１１１に比べてより広い領域を警戒エリア４１０とすることが可能となる。
【００４２】
図５は、本実施例に係るセキュリティ装置４００の具体的な動作を説明する図である。
図４に示したように、セキュリティ装置４００は、センサ４０１、調光ガラス１０２、調光ガラス制御部１０３、周辺検知装置４０２および外部検知装置４０３を備える。
【００４３】
センサ４０１は、センサ１０１と同様に、例えば、物体（人物）を検出した場合には外部検知装置４０３にＨｉｇｈ信号を出力し、物体（人物）を検出しない場合には外部検知装置４０３にＬｏｗ信号を出力する。
【００４４】
外部検知装置４０３は、周辺検知装置４０２と無線通信を行なって、センサ４０１からの入力信号（Ｈｉｇｈ信号、Ｌｏｗ信号）を通知する。
周辺検知装置４０２は、外部検知装置４０３から通知される信号を監視し、Ｈｉｇｈ信号を検出すると、警戒エリア４１０に不審者が侵入したと判断し、調光ガラス制御部１０３に対して調光ガラス１０２の光透過率低下を指示する。
【００４５】
また、周辺検知装置４０２は、外部検知装置４０３から通知される信号のうちＨｉｇｈ信号であった信号が全てＬｏｗ信号に変わると、警戒エリア４１０には不審者がいないと判断し、調光ガラス制御部１０３に対して調光ガラス１０２の光透過率低下の解除を指示する。
【００４６】
制御部１０３ａは、周辺検知装置４０２から光透過率の低下指示を受けると、まず、バッテリ２０１から得る電源を駆動部１０３ｂに投入して、駆動部１０３ｂを動作可能にする。そして、駆動部１０３ｂに周辺検知装置１０４からの指示を通知する。
【００４７】
また、制御部１０３ａは、周辺検知装置４０２から光透過率低下の解除指示を受けると、バッテリ２０１から調光ガラス制御部１０３に投入している電力を停止する。
駆動部１０３ｂは、周辺検知装置４０２からの光透過率低下の指示を受けると、調光ガラス１０２に所定の電圧を印加して光透過率を変更する。
【００４８】
図６は、本実施例に係る光透過率の制御処理を示すフローチャートである。
セキュリティ装置４００に電源が投入されると、セキュリティ装置４００の防犯機能が動作する。そして、周辺検知装置４０２は、常時、外部検知装置４０３から送信される信号（センサ４０１の出力信号）を監視する。
【００４９】
ステップＳ６０１において、周辺検知装置４０２は、警戒エリア４１０において異常を検出した周辺異常検知状態か否かを判断する。例えば、上述のように、警戒エリア４１０で物体（人物）を検出するとＨｉｇｈ信号を出力するセンサ４０１を使用する場合、周辺検知装置４０２は、外部検知装置４０３からの信号がＬｏｗ信号からＨｉｇｈ信号に変化した場合に周辺異常検知状態と判断する。
【００５０】
ステップＳ６０１において、周辺異常検知状態を検出しない場合、周辺検知装置４０２は、処理をステップＳ６０１に移行して、周辺異常検知状態を検出するまで、外部検知装置４０３から送信される信号を監視する。
【００５１】
ステップＳ６０１において、周辺異常検知状態を検出すると、周辺検知装置４０２は、処理をステップＳ６０２に移行する。そして、調光ガラス制御部１０３に対して調光ガラス１０２の光透過率の低下を指示する。
【００５２】
ステップＳ６０２において、周辺検知装置４０２から光透過率の低下の指示を受けると、調光ガラス制御部１０３の制御部１０３ａは、調光ガラス制御部１０３自身の電源を投入する。そして、駆動部１０３ｂが駆動可能となると、駆動部１０３ｂは調光ガラス１０２に対して所定の電圧を印加して光透過率を低下させる。
【００５３】
ステップＳ６０３において、周辺検知装置４０２は、警戒エリア４１０における周辺異常検知状態が解除されたか否かを判断する。例えば、上述のように、警戒エリア４１０で物体（人物）を検出するとＨｉｇｈ信号を出力するセンサ４０１を使用する場合、周辺検知装置４０２は、外部検知装置４０３からの信号がＨｉｇｈ信号からＬｏｗ信号に変化した場合に周辺異常検知状態が解除された判断する。
【００５４】
ステップＳ６０３において、周辺異常検知状態が解除されていない場合、周辺検知装置４０２は、処理をステップＳ６０３に移行して、周辺異常検知状態の解除を検出するまで、外部検知装置４０３からの信号を監視する。
【００５５】
ステップＳ６０３において、周辺異常検知状態の解除を検出すると、周辺検知装置４０２は、処理をステップＳ６０４に移行する。そして、調光ガラス制御部１０３に対して調光ガラス１０２の光透過率低下の解除を指示する。
【００５６】
ステップＳ６０４において、周辺検知装置４０２から光透過率低下の解除指示を受けると、調光ガラス制御部１０３の制御部１０３ａは、調光ガラス制御部１０３自身の電源を切る。その結果、駆動部１０３ｂから調光ガラス１０２への電圧の印加が停止し、光透過率の低下が解除される。
【００５７】
以上に説明したように、セキュリティ装置１００は、警戒エリア１１１への不審者の侵入を検出すると、調光ガラス１０２の光透過率を低下して車室内部を不審者に視認させることを防止することが可能となる。
【００５８】
また、警戒エリア１１１に侵入した人が不審者でない場合に本セキュリティ機能が動作しても周辺に対して迷惑を与えることがないので、誤動作による周辺への迷惑を防止することが可能となる。
【００５９】
その結果、セキュリティ装置４００のように広い範囲に警戒エリアでも設定することが可能となるので、高い防犯機能を提供することが可能となる。
また、警戒エリア１１１（警戒エリア４１０）に不審者を検出した場合にのみ、調光ガラス制御部１０３に電源が投入されて調光ガラス制御部１０３の光透過率を低下させるので、最小限の電力により高い防犯機能を提供することが可能となる。
【００６０】
例えば、常時、調光ガラス１０２や調光ガラス制御部１０３に電力を供給する必要がないので、専用のバッテリ等を電源として用意する必要がなくなる。また、同様の理由から、使用するバッテリのバッテリ上がりが起こしにくくなる。
【００６１】
また、セキュリティ装置４００は、センサ４０１と外部検知装置４０３を車体１１０と離れた位置に配置することができるので、より広範囲かつフレキシブルに警戒エリアを設定することができるので、より防犯機能を向上することが可能となる。
【００６２】
以上のように、本実施例に係るセキュリティ装置を使用することにより、より低消費電力でありながら高い防犯機能を実現することが可能となる。
【図面の簡単な説明】
【００６３】
【図１】第１の実施例に係るセキュリティ装置の概要を説明する図である。
【図２】第１の実施例に係るセキュリティ装置の具体的な動作を説明する図である。
【図３】第１の実施例に係る光透過率の制御処理を示すフローチャートである。
【図４】第２の実施例に係るセキュリティ装置の概要を説明する図である。
【図５】第２の実施例に係るセキュリティ装置の具体的な動作を説明する図である。
【図６】第２の実施例に係る光透過率の制御処理を示すフローチャートである。
【符号の説明】
【００６４】
１００    ・・・  セキュリティ装置
１０１    ・・・  センサ
１０２    ・・・  調光ガラス
１０３    ・・・  調光ガラス制御部
１０４    ・・・  周辺検知装置
２０１    ・・・  バッテリ
４００    ・・・  セキュリティ装置
４０１    ・・・  センサ
４０２    ・・・  周辺検知装置
４０３    ・・・  外部検知装置
【図３】
2009143296.tif 000003
【図６】
2009143296.tif 000004
【図１】
2009143296.tif 000005
【図２】
2009143296.tif 000006
【図４】
2009143296.tif 000007
【図５】
2009143296.tif 000008